(57)【特許請求の範囲】
【請求項１】
足指の第１趾と第２趾の間に挟まれる趾股ブリッジが二股インソールの爪先先端に着脱自在に挿嵌される運動能力向上インソールであって、
前記趾股ブリッジは、足指の第１趾と第２趾の足裏形状に形成される足裏ベース部と、足指の第１趾と第２趾の甲被形状に形成される甲被カバー部と、該足裏ベース部と甲被カバー部とを垂直に連結して足指の第１趾と第２趾の間に挟まれる趾股ブリッジ部と、で形成されると共に、該趾股ブリッジ部の足指の趾股が当接する端部には係止突起部を形設し、さらに、前記趾股ブリッジの甲被カバー部の上面部に運動シューズとの隙間空間を埋める弾性部材を付設して成り、
前記二股インソールは、運動シューズ内の底部に収まる形状に形成され、該爪先先端には前記趾股ブリッジの趾股ブリッジ部が着脱自在に挿嵌されるスリット部を形成すると共に、その最奥部には前記係止突起部が落とし込まれる係止穴を形成して成ることを特徴とする運動能力向上インソール。
【請求項２】
前記趾股ブリッジの足裏ベース部と甲被カバー部を足指の第１趾から第５趾を覆被する形状に延設し、該足指の第１趾から第５趾の趾股位置に前記趾股ブリッジ部を形成し、前記二股インソールの爪先先端には該趾股ブリッジ部が着脱自在に挿嵌されるスリット部を形成すると共に、その最奥部には前記係止突起部が落とし込まれる係止穴を形成して成ることを特徴とする請求項１記載の運動能力向上インソール。
【請求項３】
外側の厚みが内側の厚みよりテーパ状に厚く形成すると共に、該厚く形成された部分に軽量化を図る肉盗み凹部を設けた内股インソールを前記二股インソールの下面に敷設したことを特徴とする請求項１または請求項２の記載の運動能力向上インソール。
【請求項４】
爪先部より踵部にかけてテーパ状に厚く形成すると共に、該踵部に軽量化を図る肉盗み凹部を設けた前傾インソールを前記二股インソールの下面に敷設したことを特徴とする請求項１から請求項３の何れか記載の運動能力向上インソール。
【請求項５】
クッション部材によって爪先部より踵部にかけてテーパ状に厚く形成された爪先立ちインソールを前記二股インソールの下面に敷設したことを特徴とする請求項１から請求項３の何れか記載の運動能力向上インソール。
【請求項６】
請求項１から請求項５の何れか記載の運動能力向上インソールを靴中の靴底部に敷設したことを特徴とする運動シューズ。
【発明の詳細な説明】
【技術分野】
【０００１】
本発明は、運動時の足指先の瞬発始動力を運動シューズの爪先底部にロスなく伝達して運動能力の向上を図るインソールとそれを使用した運動シューズに関する。
【背景技術】
【０００２】
従来より、インソールの表面にラバーや突起を設けて靴中のスベリを防止したものや、足への衝撃を緩和する緩衝材を敷設したものや、素材の選択や通気穴を設けて靴中の蒸れを防止したインソールの提案が数多くなされている。
【０００３】
しかしながら、それらのインソールを装着した運動シューズを履くことによって上記の装着性に関する問題は解決することができるが、瞬発始動力、推進力、瞬発力、制動力（踏ん張り度）などの運動能力は向上させることができないことから、インソールの爪先部に趾間ブリッジを設けたり、インソールの厚みを変えたりして運動能力を向上させようとする提案が従来よりなされている。
【０００４】
例えば、インナーソックス着用時のズレを防止し、外観の見栄えを良くすることを目的とする「インナーソックス」(特許文献１参照)や、５本指ソックスによって靴中の親指部と中敷のズレを防止して制動力（踏ん張り度）を得ると共に、無端弾性帯によって推進力、瞬発力などの運動機能をアップする「５本指スポーツソックス」(特許文献２参照)が提案され、公知技術となっている。
【０００５】
しかしながら、係る「インナーソックス」や、「５本指スポーツソックス」の提案は、爪先の足指が露出していることによって、発汗によるインソールとのスベリや、足指同士の接触、ソックスを履いていない分だけ靴の爪先との隙間空間が拡大することや、ソックスを履いている時と比べて装着性ならびにフィット感が劣るといった問題点があるものであった。
【０００６】
また、裸足で靴を着用する場合および靴下を履いて靴を着用する場合の両状態において、土踏まずの形成を有効に促進することができる「乳幼児用靴の中敷きセット」(特許文献３参照)や、靴自体に鼻緒式の仕切りを設ける靴を利用する場合、ユーザーの靴の選択肢が限定されることになる。あるいは、楕円柱状の突起を備えるインソールでは、外反母趾対策機能の観点から、足の親指と人差し指との間を広げるため、足の指の隙間に沿った形状となっておらず、使用時に違和感を与えることなどを解決する「前すべり防止インソール」(特許文献４参照)が提案され、公知技術となっている。
【０００７】
しかしながら、係る「乳幼児用靴の中敷きセット」ならびに「前すべり防止インソール」の提案は、インソールの爪先部に足指の第１趾と第２趾の間に挟まれるブリッジを形成するにあたって、インソールとブリッジとを一体成形によって形成する手段を採用していることにから、製造コストの高騰に繋がると共に、大量生産による画一的な形状に仕上がることによって、ブリッジの形状をユーザー自身の足型の形状に合わせて自由に選択することができないものであった。また、ブリッジの上方に足指の第１趾と第２趾の甲部側を覆う形状を有していないものは、足指の第１趾と第２趾が屈曲してインソールを確実に固定した状態にならないことから、運動時の足先の瞬発力を運動シューズの爪先部にロスなく伝達して運動能力を向上させることができないものであった。
【０００８】
本出願人は、以上のような従来の運動シューズの靴中に敷設されるインソールによって運動能力が十分に伝達されない現状に着目し、それらの問題点を容易且つ簡易的な手段で解決することができないものかとの着想の下、趾股ブリッジを二股インソールの爪先先端に着脱自在に取り付けて運動時の足指先の瞬発始動力を運動シューズの爪先底部にロスなく伝達することができる運動能力向上インソールを開発し、本発明における「運動能力向上インソールとそれを使用した運動シューズ」の提案に至るものである。
【先行技術文献】
【特許文献】
【０００９】
【特許文献１】特開２００４−２７０１２２号公報
【特許文献２】特開２００９−２７５３４０号公報
【特許文献３】特開２００４−２５４８６５号公報
【特許文献４】特開２０１３−１７６４７号公報
【発明の概要】
【発明が解決しようとする課題】
【００１０】
本発明は上記問題点を鑑み、趾股ブリッジを二股インソールの爪先先端に着脱自在に取り付けて運動時の足指先の瞬発始動力を運動シューズの爪先底部にロスなく伝達することができる運動能力向上インソールとそれを使用した運動シューズの提供を図ることを課題とする。
【課題を解決するための手段】
【００１１】
本発明における運動能力向上インソールは、上記課題を解決するためになされるもので、該運動能力向上インソールは、足指の第１趾と第２趾の間に挟まれる趾股ブリッジが二股インソールの爪先先端に着脱自在に挿嵌される運動能力向上インソールであって、前記趾股ブリッジは、足指の第１趾と第２趾の足裏形状に形成される足裏ベース部と、足指の第１趾と第２趾の甲被形状に形成される甲被カバー部と、該足裏ベース部と甲被カバー部とを垂直に連結して足指の第１趾と第２趾の間に挟まれる趾股ブリッジ部と、で形成されると共に、該趾股ブリッジ部の足指の趾股が当接する端部には係止突起部を形設し、さらに、前記趾股ブリッジの甲被カバー部の上面部に運動シューズとの隙間空間を埋める弾性部材を付設して成り、前記二股インソールは、運動シューズ内の底部に収まる形状に形成され、該爪先先端には前記趾股ブリッジの趾股ブリッジ部が着脱自在に挿嵌されるスリット部を形成すると共に、その最奥部には前記係止突起部が落とし込まれる係止穴を形成して成る手段を採る。
【００１２】
また本発明における運動能力向上インソールは、前記趾股ブリッジの足裏ベース部と甲被カバー部を足指の第１趾から第５趾を覆被する形状に延設し、該足指の第１趾から第５趾の趾股位置に前記趾股ブリッジ部を形成し、前記二股インソールの爪先先端には該趾股ブリッジ部が着脱自在に挿嵌されるスリット部を形成すると共に、その最奥部には前記係止突起部が落とし込まれる係止穴を形成して成る手段を採る。
【００１４】
また本発明における運動能力向上インソールは、外側の厚みが内側の厚みよりテーパ状に厚く形成すると共に、該厚く形成された部分に軽量化を図る肉盗み凹部を設けた内股インソールを前記二股インソールの下面に敷設した手段を採る。
【００１５】
また本発明における運動能力向上インソールは、爪先部より踵部にかけてテーパ状に厚く形成すると共に、該踵部に軽量化を図る肉盗み凹部を設けた前傾インソールを前記二股インソールの下面に敷設した手段を採る。
【００１６】
また本発明における運動能力向上インソールは、クッション部材によって爪先部より踵部にかけてテーパ状に厚く形成された爪先立ちインソールを前記二股インソールの下面に敷設した手段を採る。
【００１７】
また本発明における運動能力向上インソールを使用した運動シューズは、請求項１から請求項５の何れか記載の運動能力向上インソールを靴中の靴底部に敷設した手段を採る。
【発明の効果】
【００１８】
本発明の運動能力向上インソールによれば、趾股ブリッジが二股インソールの爪先先端に着脱自在に設けられることによって、趾股ブリッジの使用を不用とする時は簡単に取り外すことができ、さらに分離していることによって、ユーザーの足型にあった趾股ブリッジを任意に選択して使用できるといった優れた効果を奏する。
【００１９】
また本発明の運動能力向上インソールによれば、趾股ブリッジが設けられることによって、運動シューズの爪先と足指の爪先部が靴紐ならびに緊締具で締付け固定されることで、運動時の瞬発始動力、推進力、跳躍力、制動力（踏ん張り度）が得られるといった優れた効果を奏する。
【００２０】
また本発明の運動能力向上インソールによれば、趾股ブリッジが設けられることによって、足指のスベリや遊びが解消され、さらに靴紐又は緊締具よって締め付けることで確実な締め付け感ならびに一体感が得られるといった優れた効果を奏する。
【００２１】
また本発明の運動能力向上インソールによれば、趾股ブリッジ部が足指の爪先部分にあたる第１趾から第５趾の趾股に設けられることによって、足指と二股インソールが確実に連結されると共に、外反母趾や内反母趾抑制効果や水虫対策や汗によるすべり防止効果が得られることで、競技用シューズ以外の一般のジョギングシューズなどの運動シューズや健康シューズとして使用することができるといった優れた効果を奏する。
【００２２】
また本発明の運動能力向上インソールによれば、弾性部材によって靴サイズの調整が任意にできることから、成長著しい青少年の靴サイズ調整用ソールとして使用できると共に、巾方向の足巾が広い使用者にとっても適度な緊締力で以って確実な締め付け感が得られるといった優れた効果を奏する。
【００２３】
また本発明の運動能力向上インソールによれば、趾股ブリッジの甲被カバー部が、足指の第１趾から第５趾を覆被して運動シューズの爪先と足指の爪先部との隙間空間に履き入れた状態で運動シューズの甲被部を靴紐又は緊締具で緊締することによって、運動時の足指先の瞬発始動力を運動シューズの爪先底部にロスなく伝達することができるといった優れた効果を奏する。
【００２４】
また本発明の運動能力向上インソールによれば、趾股ブリッジの甲被カバー部の上面部に運動シューズとの隙間空間を埋める弾性部材を付設して運動シューズの爪先部と足指の爪先部との隙間空間に履き入れた状態で運動シューズの甲被部を靴紐又は緊締具で緊締することによって、運動時の足指先の瞬発始動力を運動シューズの爪先底部にロスなく伝達することができるといった優れた効果を奏する。
【００２５】
また本発明の運動能力向上インソールによれば、外側の厚みが内側の厚みよりテーパ状に厚く形成した内股インソールを二股インソールの下面に敷設することによって、運動時の身体の傾きが自然と内側に傾く姿勢となるため運動能力が向上するといった優れた効果を奏する。
【００２６】
また本発明の運動能力向上インソールによれば、爪先部より踵部にかけてテーパ状に厚く形成すると共に、該踵部に軽量化を図る肉盗み凹部を設けた前傾インソールを二股インソールの下面に敷設することによって、運動時の身体の傾きが自然と前傾姿勢となるため運動能力が向上するといった優れた効果を奏する。
【００２７】
また本発明の運動能力向上インソールによれば、爪先部より踵部にかけてテーパ状に厚く形成すると共に、該踵部がクッション部材で形成された爪先立ちインソールを二股インソールの下面に敷設して形成されることで、競技外においても踵部が宙に浮いた爪先立ちの状態で歩行やランニングをすることによって足腰の鍛錬がリアルタイムでできると共に、鍛錬をしない通常時は、運動シューズを履いたまま状態で踵部をつけてクッション部材の弾性力を感じながら休息したり歩行したりすることができるといった優れた効果を奏する。
【図面の簡単な説明】
【００２８】
【図１】本発明における運動能力向上インソールの請求項１の実施形態を示す説明図である。（実施例１）
【図２】本発明における運動能力向上インソールの請求項２の実施形態を示す説明図である。（実施例２）
【図３】本発明における運動能力向上インソールの請求項１の実施形態を示す説明図である。（実施例３）
【図４】本発明における運動能力向上インソールの請求項３の実施形態を示す説明図である。（実施例４）
【図５】本発明における運動能力向上インソールの請求項４の実施形態を示す説明図である。（実施例５）
【図６】本発明における運動能力向上インソールの請求項５の実施形態を示す説明図である。（実施例６）
【発明を実施するための形態】
【００２９】
本発明における運動能力向上インソール１０は、足指３０の第１趾３１と第２趾３２の間に挟まれる趾股ブリッジ２０が二股インソール１１の爪先先端に着脱自在に挿嵌される運動能力を向上させることができるインソールであって、足指３０の第１趾３１と第２趾３２の趾股３５が分離されたソックスを履いた足又は素足Ｆを二股インソール１１が敷設された運動シューズ４０内に履き入れた状態で運動シューズ４０の甲被部４１を靴紐又は緊締具４３で緊締することによって、運動時の足指３０先の瞬発始動力を運動シューズ４０の爪先底部４２にロスなく伝達することができる手段を採ったことを最大の特徴とする。以下、本発明における運動能力向上インソール１０の実施形態を図面を基に説明する。
【００３０】
なお、本発明における運動能力向上インソール１０とそれを使用した運動シューズ４０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００３１】
図１は、本発明における運動能力向上インソールの請求項１の実施形態を示す説明図である。図１（a）は趾股ブリッジ２０の全体斜視図を示し、図１（b）は趾股ブリッジ２０の縦断面図を示し、図１（c）は二股インソール１１の平面図を示し、図１（d）は運動能力向上インソール１０の使用状態図を示す。
本発明の運動能力向上インソール１０は、足指３０の第１趾３１と第２趾３２の間に挟まれる趾股ブリッジ２０が二股インソール１１の爪先先端に着脱自在に挿嵌され、足指３０の第１趾３１と第２趾３２の趾股３５が分離されたソックスを履いた足又は素足Ｆを二股インソール１１が敷設された運動シューズ４０内に履き入れた状態で運動シューズ４０の甲被部４１を靴紐又は緊締具４３で緊締することによって、運動時の足指３０先の瞬発始動力を運動シューズ４０の爪先底部４２にロスなく伝達することができる形状に形成される。
【００３２】
二股インソール１１は、運動シューズ４０内の底部に収まる形状に形成され、該爪先先端には趾股ブリッジ２０の趾股ブリッジ部２３が着脱自在に挿嵌されるスリット部１５を形成すると共に、その最奥部には趾股ブリッジ部２３の端部２３aに形設される係止突起部２４が落とし込まれる係止穴１６を形成して成るもので、材質的には、軟質で柔軟性のある合成樹脂素材ならびに布材を張り合わせて形成される。
また、爪先部の趾股ブリッジ２０の足裏ベース部２１との重なり状態は、足裏ベース部２１の厚み分の凹部を設けた形態、あるいはそのまま重合状態とする形態の何れの形態であっても構わない。
【００３３】
スリット部１５は、趾股ブリッジ２０の趾股ブリッジ部２３が二股インソール１１の爪先先端に着脱自在に挿嵌されるスリット状の溝であって、その最奥部には係止突起部２４が落とし込まれる係止穴１６を形成して成る。
【００３４】
係止穴１６は、趾股ブリッジ部２３の端部２３aに設けられる係止突起部２４が落とし込まれるスリット部１５の最奥部に設けられる穴で、使用時において趾股ブリッジ２０が二股インソール１１から離脱しない役目を果たす。
【００３５】
趾股ブリッジ２０は、足裏ベース部２１と甲被カバー部２２とを垂直に連結して足指３０の第１趾３１と第２趾３２の間に挟まれる趾股ブリッジ部２３と、で形成されるもので、趾股ブリッジ部２３が足指３０の第１趾３１と第２趾３２の間に挟まれることで、運動時の足指３０先の瞬発始動力を運動シューズ４０の爪先底部４２にロスなく伝達することができる。
【００３６】
足裏ベース部２１は、足指３０の第１趾３１と第２趾３２の足裏形状に形成されるもので、足裏ベース部２１が足指３０の第１趾３１と第２趾３２の足裏形状に形成されることで、運動時の足指３０先の瞬発始動力を運動シューズ４０の爪先底部４２に一体感を以ってロスなく伝達することができる。
【００３７】
甲被カバー部２２は、足指３０の第１趾３１と第２趾３２の甲被形状に形成されるもので、甲被カバー部２２が足指３０の第１趾３１と第２趾３２の甲被形状に形成されることで、運動時の足指３０先の瞬発始動力を運動シューズ４０の爪先底部４２に遊びやズレがなく伝達することができる。
また、趾股ブリッジ部２３の上方に足指の第１趾と第２趾の甲部側を覆う形状を有することで、足指の第１趾と第２趾が屈曲してインソールを確実に固定した状態となることから、従来の運動時の足先の瞬発力を運動シューズの爪先部にロスなく伝達して運動能力を向上させることができない問題点を解決することができる。
また、上記足裏ベース部２１と甲被カバー部２２の爪先方向の形状を二股インソール１１の爪先方向の形状と同形状とすることで、運動シューズ４０を履いた時に運動シューズ４０の内側の爪先先端に当接させて趾股ブリッジ２０がスリット部１５から抜け落ちない形状としている。
【００３８】
趾股ブリッジ部２３は、足裏ベース部２１と甲被カバー部２２とを垂直に連結して足指３０の第１趾３１と第２趾３２の間に挟まれる形状に形成されるもので、該端部２３aには趾股ブリッジ部２３がスリット部１５から離脱することを防止する係止突起部２４を形成し、さらに、趾股ブリッジ２０の甲被カバー部２２の上面部に運動シューズ４０との隙間空間Ｓを埋める弾性部材２５を付設して成る。
【００３９】
係止突起部２４は、趾股ブリッジ部２３の端部２３aに設けられ、足指３０の第１趾３１と第２趾３２の間に挟まれて摩擦や突き当てによって趾股３５部が痛まない円柱形の形状に形成されるもので、係止突起部２４が二股インソール１１の係止穴１６に落とし込まれることによって、趾股ブリッジ２０が二股インソール１１から離脱しない形状に形成される。
【００４０】
隙間空間Ｓは、運動シューズ４０の靴紐又は緊締具４３の緊締力が及ばない爪先にできる隙間領域で、従来この部分を締め付けることは運動シューズ４０の構造上できないことから、瞬発始動力、推進力、瞬発力、制動力（踏ん張り度）などの運動機能を低下させる要因となっているエリアである。
【００４１】
以上のように構成される本発明における運動能力向上インソール１０は、趾股ブリッジ２０が、足指３０の第１趾３１と第２趾３２の間に挟まれる形状に形成されることによって、足指３０と二股インソール１１が確実に連結した状態となるため、運動時の足指３０先の瞬発始動力を運動シューズ４０の爪先底部４２にロスなく伝達することができる。
【実施例２】
【００４２】
図２は、本発明における運動能力向上インソールの請求項２の実施形態を示す説明図である。図２（a）は趾股ブリッジ２０の全体斜視図を示し、図２（b）は趾股ブリッジ２０の縦断面図を示し、図２（c）は二股インソール１１の平面図を示し、図２（d）は運動能力向上インソール１０の使用状態図を示す。
本発明における運動能力向上インソール１０は、趾股ブリッジ２０の足裏ベース部２１と甲被カバー部２２を、足指３０の第１趾３１から第５趾３４を覆被する形状に延設し、該足指３０の第１趾３１から第５趾３４の趾股３５位置に趾股ブリッジ部２３を形成し、二股インソール１１（実質的には四股インソールとなる）の爪先先端には該趾股ブリッジ部２３が着脱自在に挿嵌されるスリット部１５を形成すると共に、その最奥部には係止突起部２４が落とし込まれる係止穴１６を形成して成るもので、趾股ブリッジ部２３が足指３０の爪先部分にあたる第１趾３１から第５趾３４の趾股３５に設けられることによって、足指３０と二股インソール１１（実質的には四股インソールとなる）が確実に連結されると共に、外反母趾や内反母趾抑制効果や、水虫対策や汗によるすべり防止効果が得られるものである。
【００４３】
図２（e）は別の趾股ブリッジ２０の実施形態を示す全体斜視図である。
趾股ブリッジ２０の足裏ベース部２１と甲被カバー部２２を足指３０の第１趾３１から第５趾３４を覆被する形状に延設し、該足指３０の第１趾３１と第２趾３２および第４趾３３と第５趾３４の趾股３５位置に趾股ブリッジ部２３を形成したものである。
【００４４】
図２（f）は別の趾股ブリッジ２０の実施形態を示す全体斜視図である。
趾股ブリッジ２０の足裏ベース部２１と甲被カバー部２２を足指３０の第１趾３１から第５趾３４を覆被する形状に延設し、該足指３０の第１趾３１と第２趾３２の趾股３５位置に趾股ブリッジ部２３を形成すると共に、第１趾３１と第５趾３４の外側を上部の甲被カバー部２２と連結したものである。
【実施例３】
【００４５】
図３は、本発明における運動能力向上インソールの請求項１の実施形態を示す説明図である。図３（a）は趾股ブリッジ２０の分解斜視図を示し、図３（b）は趾股ブリッジ部２３の使用状態における断面説明図である。
本発明における運動能力向上インソール１０は、趾股ブリッジ２０の甲被カバー部２２の上面部に運動シューズ４０との隙間空間Ｓを埋める弾性部材２５を付設して形成されるもので、趾股ブリッジ２０の甲被カバー部２２の上面部に運動シューズ４０との隙間空間Ｓを埋める弾性部材２５を付設して運動シューズ４０の爪先と足指３０の爪先部との隙間空間Ｓに履き入れた状態で、運動シューズ４０の甲被部４１を靴紐又は緊締具４３で緊締することによって、運動時の足指３０先の瞬発始動力を運動シューズ４０の爪先底部４２にロスなく伝達することができる。
【００４６】
弾性部材１５は、布地、天然ゴム、合成ゴム（ラバー）、クッション材、フェルト、緩衝材、発砲樹脂、柔軟性ならびに弾力性のある合成樹脂素材、エアバッグ等が使用され、所用の厚みを有してシューズの爪先形状に成形されて、交換用、厚み調整用として任意に複数個用意される。
【実施例４】
【００４７】
図４は、本発明における運動能力向上インソールの請求項３の実施形態を示す説明図である。図４（a）は本発明における内股インソール１２の断面図を示し、図４（b）は使用状態における断面説明図である。
本発明における運動能力向上インソール１０は、外側の厚みが内側の厚みよりテーパ状に厚く形成すると共に、該踵部に軽量化を図る肉盗み凹部１７を設けた内股インソール１２を二股インソール１１の下面に敷設することによって、運動時の身体の傾きが自然と内側に傾く姿勢となるため運動能力が向上するインソールの提供を可能とする。
【００４８】
肉盗み凹部１７は、踵部の軽量化を図る目的で形成されるもので、溝、穴、凹部、模様など様々な形状で形成されるもので、特にその形状は限定されない。
【実施例５】
【００４９】
図５は、本発明における運動能力向上インソールの請求項４の実施形態を示す説明図である。図５（a）は本発明における前傾インソール１３の断面図を示し、図５（b）は使用状態における断面説明図である。
本発明における運動能力向上インソール１０は、爪先部より踵部にかけてテーパ状に厚く形成すると共に、該踵部に軽量化を図る肉盗み凹部１７を設けた前傾インソール１３を二股インソール１１の下面に敷設することによって、運動時の身体の傾きが自然と前傾姿勢となるため運動能力が向上するインソールの提供を可能とする。
【実施例６】
【００５０】
図６は、本発明における運動能力向上インソールの請求項５の実施形態を示す説明図である。図６（a）は本発明における爪先立ちインソール１４の断面図を示し、図６（b）は使用状態における断面説明図である。
本発明における運動能力向上インソール１０は、クッション部材１８によって爪先部より踵部にかけてテーパ状に厚く形成された爪先立ちインソール１４を二股インソール１１の下面に敷設して形成されるもので、競技外においても踵部が宙に浮いた爪先立ちの状態で歩行やランニングをすることによって足腰の鍛錬がリアルタイムでできると共に、鍛錬をしない通常時は、運動シューズ４０を履いたまま状態で踵部をつけてクッション部材１８の弾性力を感じながら休息したり歩行したりすることができる。
尚、本仕様は、運動シューズ４０以外のスリッパやサンダルなどの他の履物においても適用することができる。
【００５１】
クッション部材１８は、爪先部より踵部にかけてテーパ状に形成されるもので、材質的には合成ゴム、天然ゴム、発砲樹脂素材など軽量で弾力性に富んだものが好適である。
【００５２】
本発明における運動能力向上インソールとそれを使用した運動シューズの請求項６の実施形態を説明する。
本発明における運動能力向上インソール１０を使用した運動シューズ４０は、請求項１から請求項５の何れか記載の運動能力向上インソール１０を靴中の靴底部に敷設した一般的な紐付き又は緊締具４３付きの運動シューズ４０が使用される。
【００５３】
本発明における運動シューズ４０は、足指３０の第１趾３１と第２趾３２の趾股３５が分離されたソックスを履いた足又は素足Ｆを二股インソール１１が敷設された運動シューズ４０内に履き入れた状態で運動シューズ４０の甲被部４１を靴紐又は緊締具４３で緊締することによって、運動時の足指３０先の瞬発始動力を運動シューズ４０の爪先底部４２にロスなく伝達することができる。
【産業上の利用可能性】
【００５４】
本発明における運動能力向上インソールは、従来の趾股ブリッジが一体成形によって設けられたインソールと比較して容易に分離可能であることから、取り付け取り外しが簡単であることや、生産コストが低廉であること、機能性ならびに衛生的に優れるなど多くの利点がある上、従来に増して運動能力を高めることができるため、多種目に亘る競技用の運動シューズのインソールとしてや、一般の健康スポーツ靴のインソールとして巾広く利用できるもので、本発明における「運動能力向上インソールとそれを使用した運動シューズ」の産業上の利用可能性は極めて大であるものと解する。
【符号の説明】
【００５５】
１０  運動能力向上インソール
１１  二股インソール
１２  内股インソール
１３  前傾インソール
１４  爪先立ちインソール
１５  スリット部
１６  係止穴
１７  肉盗み凹部
１８  クッション部材
２０  趾股ブリッジ
２１  足裏ベース部
２２  甲被カバー部
２３  趾股ブリッジ部
２３a 端部
２４  係止突起部
２５  弾性部材
３０  足指
３１  第１趾
３２  第２趾
３３  第４趾
３４  第５趾
３５  趾股
４０  運動シューズ
４１  甲被部
４２  爪先底部
４３  靴紐又は緊締具
Ｆ  ソックスを履いた足又は素足
Ｓ  隙間空間
【要約】      （修正有）【課題】運動時の足指先の瞬発始動力を運動シューズの爪先底部にロスなく伝達する運動能力向上インソールとそれを使用した運動シューズの提供を図る。【解決手段】足指の間に挟まれる趾股ブリッジ２０と、爪先先端が分離する二股インソール１１とで構成され、該趾股ブリッジ２０は足裏ベース部２１と、甲被カバー部２２と、趾股ブリッジ部２３と、で形成されると共に、該趾股ブリッジ部２３の足指の趾股が当接する端部には係止突起部２４を形設し、さらに、趾股ブリッジ２０の甲被カバー部２２の上面部に運動シューズとの隙間空間Ｓを埋める弾性部材２５を付設して成り、二股インソール１１は、運動シューズ内の底部に収まる形状に形成され、該爪先先端には趾股ブリッジ部２３が着脱自在に挿嵌されるスリット部を形成すると共に、その最奥部には係止突起部２４が落とし込まれる係止穴を形成して成る手段を採る。【選択図】図３【図１】
0005806427.tif 000002
【図２】
0005806427.tif 000003
【図３】
0005806427.tif 000004
【図４】
0005806427.tif 000005
【図５】
0005806427.tif 000006
【図６】
0005806427.tif 000007